(57)【特許請求の範囲】
【請求項１】
電力を出力する充電回路と、
電子機器の稼働信号を受け付けている間に、前記充電回路と第１の接続点とを電気的に接続する第１の接続部と、
前記電子機器の停止信号を受け付けている間に、前記充電回路と第２の接続点とを電気的に接続する第２の接続部と、
前記電子機器と同じ高さに設置された第１の電極と第２の電極とが電気的に接続された場合に、第３の接続点と前記充電回路および第４の接続点と前記充電回路を電気的に接続する第３の接続部と
前記第１の接続点から前記第３の接続点に電流が流れたか否かを視覚的に記録する第１の記録部と、
前記第２の接続点から前記第４の接続点に電流が流れたか否かを視覚的に記録する第２の記録部と
を有することを特徴とする浸水記録装置。
【請求項２】
前記電子機器の稼働信号を受信している間に、前記第１の接続部に前記稼働信号を出力し、前記電子機器の稼働信号を受信していない間に、前記第２の接続部に前記停止信号を出力する信号制御部を更に有することを特徴とする請求項１に記載の浸水記録装置。
【請求項３】
前記第１の記録部は、前記第１の接続点から前記第３の接続点に電流が流れた場合に切断状態となり、前記第２の記録部は、前記第２の接続点から前記第４の接続点に電流が流れた場合に切断状態となることを特徴とする請求項１または２に記載の浸水記録装置。
【発明の詳細な説明】
【技術分野】
【０００１】
本発明は、浸水記録装置等に関する。
【背景技術】
【０００２】
規模の大きな水害が発生すると、水害発生地域のオフィスや工場に設置されている電子機器が浸水してしまう場合がある。電子機器が浸水してしまうと、外観に大きな損傷がなくても、電子部品のショートや、金属の腐食が原因となり、電子機器が正常に動作しなくなる。このため、保守作業員は、浸水した全ての電子機器を交換することとなる。
【０００３】
従来、電子機器の浸水を確認する場合には、浸水前と浸水後で色が変化する浸水反応シールが用いられる。保守作業員は、電子機器に貼付された浸水反応シールの色を確認することで、該当する電子機器の交換が必要か否かを判断する。
【先行技術文献】
【特許文献】
【０００４】
【特許文献１】特開２０１０−３５０３６号公報
【特許文献２】特開２００６−５３１１０号公報
【特許文献３】特開２００２−１４２９８７号公報
【特許文献４】特開２００４−２３５７２４号公報
【発明の概要】
【発明が解決しようとする課題】
【０００５】
しかしながら、上述した従来技術では、保守作業員が、電子機器が通電中に浸水したか否かを判断することができないという問題があった。
【０００６】
規模の大きな水害で、多数の電子機器が浸水した場合に、浸水した全ての電子機器を一度に交換すると、交換対象となる電子機器の数が多くなり、予備の電子機器が不足する場合がある。ここで、浸水した電子機器を交換することは大前提ではあるものの、電子機器が通電中に浸水したか否かによって対応を変えることができる。
【０００７】
例えば、通電中に電子機器が浸水した場合には、電子機器はほぼ全損であり交換が必須となる。これに対して、電源断の状態で電子機器が浸水した場合には、保守対象として品質の面からは交換必須であるが、乾燥させた後に、係る電子機器を暫定的に動作させることができる場合がある。
【０００８】
このため、多数の電子機器が浸水した場合には、通電中に浸水した電子機器を優先的に交換し、通電中に浸水しなかった電子機器を暫定的に稼働させる措置をとることで、一時的な予備の電子機器の不足を補うことが可能である。しかし、上記の従来技術では、浸水したことは判断できても、通電中に浸水したのか否かを区別することができない。
【０００９】
開示の技術は、上記に鑑みてなされたものであって、電子機器が通電中に浸水したか否かを利用者が判断することができる浸水記録装置を提供することを目的とする。
【課題を解決するための手段】
【００１０】
開示の浸水記録装置は、充電回路、第１の接続部、第２の接続部、第３の接続部、第１の記録部、第２の記録部を有する。充電回路は、電力を出力する。第１の接続部は、電子機器の稼働信号を受け付けている間に、充電回路と第１の接続点とを電気的に接続する。第２の接続部は、電子機器の停止信号を受け付けている間に、充電回路と第２の接続点とを電気的に接続する。第３の接続部は、電子機器と同じ高さに設置された第１の電極と第２の電極とが電気的に接続された場合に、第３の接続点と充電回路または第４の接続点と充電回路とを電気的に接続する。第１の記録部は、第１の接続点から前記第３の接続点に電流が流れたか否かを視覚的に記録する。第２の記録部は、第２の接続点から第４の接続点に電流が流れたか否かを視覚的に記録する。
【発明の効果】
【００１１】
開示の浸水記録装置によれば、電子機器が通電中に浸水したか否かを利用者が判断することができるという効果を奏する。
【図面の簡単な説明】
【００１２】
【図１】図１は、本実施例１に係る浸水記録装置の設置例を示す図である。
【図２】図２は、本実施例１に係る浸水記録装置の構成を示す図である。
【図３】図３は、記録部の断線状態と電子機器の浸水状態との関係を示す図である。
【図４】図４は、本実施例２に係る浸水記録装置の構成を示す図である。
【発明を実施するための形態】
【００１３】
以下に、本願の開示する浸水記録装置の実施例を図面に基づいて詳細に説明する。なお、この実施例によりこの発明が限定されるものではない。
【実施例１】
【００１４】
本実施例１に係る浸水記録装置の設置例について説明する。図１は、本実施例１に係る浸水記録装置の設置例を示す図である。図１に示すように、筐体１には、電子機器５０および浸水記録装置１００が設置されている。筐体１は、例えば、サーバラックなどに対応する。
【００１５】
電子機器５０と浸水記録装置１００は、信号線１０により電気的に接続されているものとする。また、地面から浸水記録装置１００の底面までの高さは、地面から電子機器５０の底面までの高さと同じ高さとなるように、浸水記録装置１００の高さ調整されているものとする。浸水記録装置１００は電極１００ａと電極１００ｂを有しており、電極１００ａおよび電極１００ｂは、例えば浸水記録装置１００の底面部分に設置されているものとする。
【００１６】
次に、図１に示した浸水記録装置１００の構成の一例について説明する。図２は、本実施例１に係る浸水記録装置の構成を示す図である。図２に示すように、この浸水記録装置１００は、電線１〜８、抵抗５０ａ〜５０ｄ、アース６０ｂ〜６０ｃを有する。また、浸水記録装置１００は、電極１００ａ、１００ｂ、入力部１１０ａ、１１０ｂ、充電回路１２０、接続部１３０ａ〜１３０ｃ、記録部１４０ａ、１４０ｂを有する。
【００１７】
電線１〜８は、電流を導く金属製の線である。電線１は、入力部１１０ａ、接続部１３０ａ、抵抗５０ａに接続される。抵抗５０ａは、アース６０ａに接続される。電線２は、入力部１１０ｂ、接続部１３０ｂ、抵抗５０ｂに接続される。抵抗５０ｂは、アース６０ｂに接続される。
【００１８】
電線３は、充電回路１２０、接続部１３０ａ、１３０ｂ、抵抗５０ｃに接続される。抵抗５０ｃは、電極１００ａに接続される。電線４は、接続部１３０ａ、記録部１４０ａに接続される。電線５は、接続部１３０ｂ、記録部１４０ｂに接続される。
【００１９】
電線６は、記録部１４０ａ、１４０ｂ、接続部１３０ｃに接続される。電線７は、接続部１３０ｃ、電極１００ｂ、抵抗５０ｄに接続される。抵抗５０ｄは、アース６０ｃに接続される。電線８は、充電回路１２０、接続部１３０ｃに接続される。
【００２０】
電極１００ａ、１００ｂは、浸水記録装置１００の底面部分に設置される電極である。浸水などにより、電極１００ａ、１００ｂの高さまで水が流入した場合には、電極１００ａと電極１００ｂとは水を介して電気的に接続される。
【００２１】
入力部１１０ａは、図１に示した電子機器５０が稼働中の場合に、稼働信号を受け付け、稼働信号を電線１に出力する。入力部１１０ｂは、電子機器５０が停止中の場合に、停止信号を受け付け、停止信号を電線２に出力する。電子機器５０が停止中の場合には、電子機器５０は電源断の状態である。
【００２２】
充電回路１２０は、例えば、充電可能な充電池に対応する。充電回路１２０は、電線３に電流を出力する。なお、充電回路１２０の代わりに乾電池などを代用しても良い。
【００２３】
接続部１３０ａは、電線１から稼働信号を受け付けた場合に、電線３と電線４とを電気的に接続する装置である。
【００２４】
接続部１３０ｂは、電線２から停止信号を受け付けた場合に、電線３と電線５とを電気的に接続する装置である。
【００２５】
接続部１３０ｃは、浸水などにより電極１００ａと電極１００ｂとが電気的に接続され、電線７から充電回路１２０からの電流を受け付けた場合に、電線６と電線８とを電気的に接続する装置である。なお、上記の接続部１３０ａ〜１３０ｃは、トランジスタに対応する。
【００２６】
記録部１４０ａは、例えば、電力ヒューズに対応する。記録部１４０ａは、電線３と電線４とが電気的に接続され、電線６と電線８とが電気的に接続された場合に、電流が記録部１４０ａを流れ、記録部１４０ａが断線状態となる。記録部１４０ａが断線状態となった場合には、図１の電子機器５０が稼働中の間に、電子機器５０が浸水したことを意味する。
【００２７】
記録部１４０ｂは、例えば、電力ヒューズに対応する。記録部１４０ｂは、電線３と電線４とが電気的に接続され、電線６と電線８とが電気的に接続された場合に、電流が記録部１４０ｂを流れ、記録部１４０ｂが断線状態となる。記録部１４０ｂが断線状態となった場合には、図１の電子機器５０が電源断状態の間に、電子機器５０が浸水したことを意味する。
【００２８】
図３は、記録部の断線状態と電子機器の浸水状態との関係を示す図である。図３に示すように、記録部１４０ａおよび記録部１４０ｂが共に断線なしの場合には、電子機器５０は浸水していない。記録部１４０ａが断線なしで、記録部１４０ｂが断線ありの場合には、電子機器５０は、稼働中に浸水したことになる。記録部１４０ａが断線ありで、記録部１４０ｂが断線なしの場合には、電子機器５０は、電源断の状態で浸水したことになる。
【００２９】
次に、本実施例１に係る浸水記録装置１００の効果について説明する。浸水記録装置１００は、浸水検知の対象となる電子機器と同じ高さに配置され、電子機器５０が稼働中に浸水した場合に断線する記録部１４０ａと、電子機器５０が電源断状態で浸水した場合に断線する記録部１４０ｂとを有する。このため、保守作業員は、記録部１４０ａ、１４０ｂの断線状態を確認することで、電子機器５０が通電中に浸水したか否かを判断することができる。
【実施例２】
【００３０】
本実施例２に係る浸水記録装置２００について説明する。浸水記録装置２００は、図１に示した浸水記録装置１００と同様にして、筐体１に設置されているものとする。浸水記録装置２００は、信号線により、電子機器５０と電気的に接続されているものとする。地面から浸水記録装置２００の底面までの高さは、地面から電子機器５０の底面までの高さと同じ高さとなるように、浸水記録装置２００の高さ調整されているものとする。浸水記録装置２００は電極２００ａと電極２００ｂを有しており、電極２００ａおよび電極２００ｂは、例えば浸水記録装置２００の底面部分に設置されているものとする。
【００３１】
続いて、本実施例２に係る浸水記録装置の構成の一例について説明する。図４は、本実施例２に係る浸水記録装置の構成を示す図である。図４に示すように、この浸水記録装置２００は、電線１０〜１８、抵抗７０ａ〜７０ｄ、アース８０ａ〜８０ｃを有する。また、浸水記録装置２００は、電極２００ａ、２００ｂ、入力部２１０、充電回路２２０、接続部２３０ａ〜２３０ｄ、記録部２４０ａ、２４０ｂを有する。
【００３２】
電線１０〜１８は、電流を導く金属製の線である。電線１０は、入力部２１０、接続部２３０ａ、２３０ｂ、抵抗７０ａに接続される。抵抗７０ａは、アース８０ａに接続される。電線１１は、接続部２３０ａ、２３０ｃ、抵抗７０ｂに接続される。抵抗７０ｂは、電線１２に接続される。
【００３３】
電線１２は、充電回路２２０、接続部２３０ｂ、２３０ｃ、抵抗７０ｂ、７０ｃに接続される。抵抗７０ｃは、電極２００ａに接続される。電線１３は、接続部２３０ｂ、記録部２４０ａに接続される。電線１４は、接続部２３０ｃ、記録部２４０ｂに接続される。
【００３４】
電線１５は、接続部２３０ｄ、記録部２４０ａ、２４０ｂに接続される。電線１６は、接続部２３０ｄ、電極２００ｂ、抵抗７０ｄに接続される。抵抗７０ｄは、アース８０ｃに接続される。
【００３５】
電線１７は、充電回路２２０、接続部２３０ｄに接続される。電線１８は、接続部２３０ａ、アース８０ｂに接続される。
【００３６】
電極２００ａ、２００ｂは、浸水記録装置２００の底面部分に設置される電極である。浸水などにより、電極２００ａ、２００ｂの高さまで水が流入した場合には、電極２００ａと電極２００ｂとは水を介して電気的に接続される。
【００３７】
入力部２１０は、電子機器５０が稼働中の場合に、稼働信号を受け付け、稼働信号を電線１０に出力する。入力部２１０は、電子機器５０が電源断状態の場合には、稼働信号を受け付けない。
【００３８】
接続部２３０ａは、電線１０から稼働信号を受け付けた場合に、電線１１と電線１８とを電気的に接続する装置である。
【００３９】
接続部２３０ｂは、電線１０から稼働信号を受け付けた場合に、電線１２と電線１３とを電気的に接続する装置である。
【００４０】
接続部２３０ｃは、電線１１から充電回路２２０からの電流を受け付けた場合に、電線１２と電線１４とを電気的に接続する装置である。電線１２と電線１８とが電気的に接続されていない間に、電線１１に電流が流れる。電線１２と電線１８とが電気的に接続されていないことは、入力部２１０が電子機器５０から稼働信号を受けていないことを意味する。すなわち、接続部２３０ｃは、電子機器５０が電源断状態の場合に、電線１２と電線１４とを電気的に接続する。
【００４１】
接続部２３０ｄは、浸水などにより電極２００ａと電極２００ｂとが電気的に接続され、電線１６から充電回路２２０からの電流を受け付けた場合に、電線１５と電線１７とを電気的に接続する装置である。上記の接続部１３０ａ〜１３０ｃは、トランジスタに対応する。
【００４２】
記録部２４０ａは、例えば、電力ヒューズに対応する。記録部２４０ａは、電線１２と電線１３とが電気的に接続され、電線１５と電線１７とが電気的に接続された場合に、電流が記録部２４０ａを流れ、記録部２４０ａが断線状態となる。記録部２４０ａが断線状態となった場合には、図１の電子機器５０が稼働中の間に、電子機器５０が浸水したことを意味する。
【００４３】
記録部２４０ｂは、例えば、電力ヒューズに対応する。記録部２４０ｂは、電線１２と電線１４とが電気的に接続され、電線１５と電線１７とが電気的に接続された場合に、電流が記録部２４０ｂを流れ、記録部２４０ｂが断線状態となる。記録部２４０ｂが断線状態となった場合には、図１の電子機器５０が電源断状態の間に、電子機器５０が浸水したことを意味する。
【００４４】
次に、本実施例２に係る浸水記録装置２００の効果について説明する。浸水記録装置２００は、浸水検知の対象となる電子機器と同じ高さに配置され、電子機器５０が稼働中に浸水した場合に断線する記録部２４０ａと、電子機器５０が電源断状態で浸水した場合に断線する記録部２４０ｂとを有する。このため、保守作業員は、記録部２４０ａ、２４０ｂの断線状態を確認することで、電子機器５０が通電中に浸水したか否かを判断することができる。また、浸水記録装置２００は、電子機器５０からの稼働信号を受け付ける入力部２１０のみにより、電子機器５０が通電中に浸水したか否かを判断することができる。
【００４５】
ところで、本実施例において説明した各処理のうち、自動的に行われるものとして説明した処理の全部または一部を手動的に行うこともでき、あるいは、手動的に行われるものとして説明した処理の全部あるいは一部を公知の方法で自動的に行うこともできる。この他、上記文書中や図面中で示した具体的名称等は、特記する場合を除いて任意に変更することができる。
【００４６】
実施例１、２では、記録部１４０ａ、１４０ｂ、２４０ａ、２４０ｂの一例として、ヒューズを用いたが、これに限定されるものではない。例えば、ヒューズの代わりに、電流が流れた場合に、インクを破裂させる電子部品を用いても良い。
【符号の説明】
【００４７】
１    筐体
５０    電子機器
１００、２００    浸水記録装置
【図１】
0005531047.tif 000002
【図２】
0005531047.tif 000003
【図３】
0005531047.tif 000004
【図４】
0005531047.tif 000005